(57)【要約】【課題】接触する肌に与える適度な冷却感や通気感を通して心地よい使用感を与えることが可能な放熱パッドを提供する。【解決手段】放熱パッド１００は、袋本体１０と、袋本体１０の内部に充填され、使用者から伝えられる熱を放出可能な放熱部材２０とを備えた。これにより、使用者の肌が袋本体１０に充填された放熱部材２０に対して直接的または間接的に接触した際に、使用者の発する熱が放熱部材２０に伝わり、放熱部材２０から熱が放出（発散）されることにより、放熱パッド１００の内部に熱がこもりにくくなるため、使用者の肌に対して適度な冷却感や通気感を通して心地よい使用感を与えることができる。また、放熱パッド１００は、袋本体１０の内部で放熱部材２０が適度に移動するため、使用者の肌になじみやすく、窮屈感を和らげることができる。【選択図】図１
0003228738.tif 000002
【実用新案登録請求の範囲】
【請求項１】
袋本体と、
前記袋本体の内部に充填され、使用者から伝えられる熱を放出可能な放熱部材とを備えること、を特徴とする放熱パッド。
【請求項２】
前記放熱部材は、天然石および磁性体のうち少なくとも一方を含むこと、を特徴とする請求項１に記載の放熱パッド。
【請求項３】
前記放熱部材の前記天然石に、研磨加工が施されていること、を特徴とする請求項２に記載の放熱パッド。
【請求項４】
前記放熱部材の前記天然石は、透明性を有していること、を特徴とする請求項２または３に記載の放熱パッド。
【請求項５】
前記放熱部材の前記天然石は、水晶、アメジスト、および、ラピスラズリのうち少なくとも１つであること、を特徴とする請求項２〜４のいずれか１項に記載の放熱パッド。
【請求項６】
前記放熱部材の天然石は、３ｍｍ以上１０ｍｍ以下の粒状であること、を特徴とする請求項２〜５のいずれか１項に記載の放熱パッド。
【請求項７】
前記袋本体は、複数の通気孔を有する通気性素材から形成されていること、を特徴とする請求項１〜６のいずれか１項に記載の放熱パッド。
【請求項８】
前記袋本体の内部には、前記放熱部材を小分けして配置するための複数の区画室が設けられていること、を特徴とする請求項１〜７のいずれか１項に記載の放熱パッド。
【請求項９】
前記袋本体の内部に充填される弾性部材をさらに備え、
前記複数の区画室は、前記放熱部材が充填された第１区画室と、前記弾性部材が充填された第２区画室とを含むこと、を特徴とする請求項８に記載の放熱パッド。
【請求項１０】
前記弾性部材は、炭が練りこまれたエラストパイプであること、を特徴とする請求項９に記載の放熱パッド。
【請求項１１】
前記複数の区画室における前記第１区画室および前記第２区画室は、前記袋本体の一方向に沿って交互に配置されていること、を特徴とする請求項８〜１０のいずれか１項に記載の放熱パッド。
【請求項１２】
袋本体と、
前記袋本体の内部に充填され、使用者から伝えられる熱を放出可能な放熱部材とを備え、
前記放熱部材は、天然石および磁性体のうち少なくとも一方を含み、
前記袋本体の内部には、前記放熱部材を小分けして配置するための複数の区画室が設けられていること、を特徴とする放熱パッド。
【請求項１３】
袋本体と、
前記袋本体の内部に充填され、使用者から伝えられる熱を放出可能な放熱部材と、弾性部材とを備え、
前記放熱部材は、天然石および磁性体のうち少なくとも一方を含み、
前記袋本体の内部には、前記放熱部材を小分けして配置するための複数の区画室が設けられ、
前記複数の区画室は、前記放熱部材が充填された第１区画室と、前記弾性部材が充填された第２区画室とを含み、
前記複数の区画室における前記第１区画室および前記第２区画室は、前記袋本体の一方向に沿って交互に配置されていること、を特徴とする放熱パッド。
【請求項１４】
袋本体と、前記袋本体の内部に充填され使用者から伝えられる熱を放出可能な放熱部材とを備える放熱パッドと、
枕本体とを備え、
前記放熱パッドは、前記枕本体に重ねて使用されること、を特徴とする寝具。
【請求項１５】
袋本体と、前記袋本体の内部に充填され使用者から伝えられる熱を放出可能な放熱部材とを備える放熱パッドと、
前記放熱パッドの両端部に設けられ、前記放熱パッドを使用者の目の付近で支持するための耳掛け部とを備えること、を特徴とするアイマスク。
【考案の詳細な説明】
【技術分野】
【０００１】
本考案は、放熱パッドに関し、特に、使用者から伝えられる熱を放出可能な放熱パッドに関する。
【背景技術】
【０００２】
従来、使用者の肌等が直接接触する寝具や運動具等の物品については、より心地よい使用感を求めるニーズが高くなっている。特に、夏場や体温上昇時における物品の熱のこもりや蒸れなどによる不快感を解消するために、使用者に対して冷却感や通気性を与える機能を有する物品が提案されている。
【０００３】
一般的に、このような冷却感や通気性を得るためには、優れた特性を有する素材を選択することが極めて有効である。そのため、その素材の特徴を活かした構造が各種研究され、提案されている（たとえば、特許文献１参照。）。
【０００４】
上記特許文献１には、熱伝導性ゲル層と、熱伝導性ゲル層の下層に設けられた金属製網目組織体層と、金属製網目組織体層の下層に設けられた軟質の合成樹脂製網目組織体層とを積層した放熱促進用マットが開示されている。また、特許文献１には、金属製網目組織体層は、熱伝導性ゲル層より伝えられる熱を拡散可能であり、軟質の合成樹脂製網目組織体層は、金属製網目組織体層より伝えられる熱を放出可能である、と記載されている。
【０００５】
また、特許文献１には、放熱促進用マットに接触するものからの熱が、熱伝導性ゲル層により吸熱されるとともに、金属製網目組織体層を介して合成樹脂製網目組織体層へ伝えられ、吸熱された熱が外部に自然に放出される、と記載されている。
【先行技術文献】
【特許文献】
【０００６】
【特許文献１】特開２００４−３５０９９０号公報
【考案の概要】
【考案が解決しようとする課題】
【０００７】
しかしながら、上記特許文献１に開示された放熱促進用マットでは、冷感性能を得るための素材として熱伝導性ゲル層が用いられているため、放熱促進用マットに対する使用者の肌の密着感が比較的高くなっている一方で、密着感が高いために使用者によっては窮屈感を感じるという問題点がある。
【０００８】
本考案はこのような背景からなされたものであって、使用者の肌が直接接触して使用させる物品について、接触する肌に与える適度な冷却感や通気感を通して心地よい使用感を与えることが可能な放熱パッドが望まれている。
【０００９】
本考案は、上記問題点を解消すべくなされたものであって、接触する肌に与える適度な冷却感や通気感を通して心地よい使用感を与えることが可能な放熱パッドを供給することを目的とする。
【課題を解決するための手段】
【００１０】
上記目的を達成するために、本考案は、次のように構成されている。
【００１１】
（１）本考案の放熱パッドは、袋本体と、前記袋本体の内部に充填され、使用者から伝えられる熱を放出可能な放熱部材とを備えること、を特徴とする。
【００１２】
上記構成によると、使用者の肌が袋本体に充填された放熱部材に対して直接的または間接的に接触した際に、使用者の発する熱が放熱部材に伝わり、放熱部材から熱が放出（発散）されることにより、放熱パッドの内部に熱がこもりにくくなるため、使用者の肌に対して適度な冷却感や通気感を通して心地よい使用感を与えることができる。また、上記構成によると、袋本体の内部で放熱部材が適度に移動するため、使用者の肌になじみやすく、窮屈感を和らげることができる。
【００１３】
（２）本考案の放熱パッドにおいて、前記放熱部材は、天然石および磁性体のうち少なくとも一方を含むとよい。このように構成すれば、放熱部材として天然石および磁性体を利用することにより、使用者の発する熱を放出し易くできるため、使用者に対して適度な清涼感を与えることができる。
【００１４】
（３）本考案の放熱パッドにおいて、前記放熱部材の前記天然石に、研磨加工が施されているとよい。このように構成すれば、研磨加工された天然石が使用者の肌に対してなじみ易く感触が良くなるため、使用者に対して心地よい刺激を与えることができる。
【００１５】
（４）本考案の放熱パッドにおいて、前記放熱部材の前記天然石は、透明性を有しているとよい。このように構成すれば、透明性を有する天然石がキラキラと輝いて見えるため、視覚的に魅力的な放熱パッドを得ることができる。
【００１６】
（５）本考案の放熱パッドにおいて、前記放熱部材の前記天然石は、水晶、アメジスト、および、ラピスラズリのうち少なくとも１つであるとよい。このように構成すれば、天然石としての水晶、アメジスト、および、ラピスラズリにより効果的に使用者の発する熱を放出することができ、かつ、天然石の有するエネルギーにより使用者の運気を高めることができる。
【００１７】
（６）本考案の放熱パッドにおいて、前記放熱部材の天然石は、３ｍｍ以上１０ｍｍ以下の粒状であるとよい。このように構成すれば、使用者に対する適度な刺激と放熱効果との両立を図ることができる。
【００１８】
（７）本考案の放熱パッドにおいて、前記袋本体は、複数の通気孔を有する通気性素材から形成されているとよい。このように構成すれば、使用者の発する熱気や湿気を袋本体から外部に放出され易くなるため、袋本体の内部に熱気や湿気がこもってしまうことを抑制することができる。
【００１９】
（８）本考案の放熱パッドにおいて、前記袋本体の内部には、前記放熱部材を小分けして配置するための複数の区画室が設けられているとよい。このように構成すれば、複数の区画室の各々において放熱部材を保持することができるため、放熱部材が袋本体の内部における一部分に偏ることを防止することができる。
【００２０】
（９）本考案の放熱パッドにおいて、前記袋本体の内部に充填される弾性部材をさらに備え、前記複数の区画室は、前記放熱部材が充填された第１区画室と、前記弾性部材が充填された第２区画室とを含むとよい。このように構成すれば、第２区画室に充填された弾性部材がクッションとしての役割を有するため、第２区画室に充填された弾性部材によって第１区画室に充填された放熱部材が袋本体の内部における一部分に偏ることを防止することができる。
【００２１】
（１０）本考案の放熱パッドにおいて、前記弾性部材は、炭が練りこまれたエラストパイプであるとよい。このように構成すれば、弾性部材としてのエラストパイプによって、放熱部材が袋本体の内部で偏ることを防止しながら、エラストパイプの炭の効果により抗菌および防臭効果を得ることができる。
【００２２】
（１１）本考案の放熱パッドにおいて、前記複数の区画室における前記第１区画室および前記第２区画室は、前記袋本体の一方向に沿って交互に配置されているとよい。このように構成すれば、放熱部材と弾性部材とが隣接した状態で交互に配置されるため、放熱部材が区画室内で移動したとしても弾性部材により放熱部材を定位置で保持することができる。
【００２３】
（１２）本考案の放熱パッドは、袋本体と、前記袋本体の内部に充填され、使用者から伝えられる熱を放出可能な放熱部材とを備え、前記放熱部材は、天然石および磁性体のうち少なくとも一方を含み、前記袋本体の内部には、前記放熱部材を小分けして配置するための複数の区画室が設けられていること、を特徴とする。
【００２４】
上記構成によると、袋本体に充填された放熱部材としての天然石および磁性体に対して使用者の肌が直接的または間接的に接触した際に、使用者の発する熱が放熱部材に伝わり、放熱部材から熱が放出（発散）され、放熱パッドの内部に熱がこもりにくくなるため、使用者に対して接触する肌に与える適度な冷却感や通気感を通して心地よい使用感を与えることができる。また、上記構成によれば、複数の区画室の各々において、放熱部材としての天然石および磁性体を保持することができるため、放熱部材が袋本体の一部分に偏ることを防止することができる。
【００２５】
（１３）本考案の放熱パッドは、袋本体と、前記袋本体の内部に充填され、使用者から伝えられる熱を放出可能な放熱部材と、弾性部材とを備え、前記放熱部材は、天然石および磁性体のうち少なくとも一方を含み、前記袋本体の内部には、前記放熱部材を小分けして配置するための複数の区画室が設けられ、前記複数の区画室は、前記放熱部材が充填された第１区画室と、前記弾性部材が充填された第２区画室とを含み、前記複数の区画室における前記第１区画室および前記第２区画室は、前記袋本体の一方向に沿って交互に配置されていること、を特徴とする。
【００２６】
上記構成によると、袋本体に充填された放熱部材としての天然石および磁性体に対して使用者の肌が直接的または間接的に接触した際に、使用者の発する熱が放熱部材に伝わり、放熱部材から熱が放出（発散）され、放熱パッドの内部に熱がこもりにくくなるため、使用者に対して接触する肌に与える適度な冷却感や通気感を通して心地よい使用感を与えることができる。また、上記構成によれば、第１区画室に充填された放熱部材と、第２区画室に充填された弾性部材とが交互に隣接した状態で配置されることにより、放熱部材と弾性部材とが袋本体の一部分に偏ることを効果的に防止することができ、かつ、使用者が放熱パッドを使用した際に使用者の肌に対して馴染み易くすることができる。
【００２７】
（１４）本考案の寝具は、袋本体と、前記袋本体の内部に充填され使用者から伝えられる熱を放出可能な放熱部材とを備える放熱パッドと、枕本体とを備え、前記放熱パッドは、前記枕本体に重ねて使用されること、を特徴とする。
【００２８】
上記構成によると、袋本体に充填された放熱部材に対して使用者の肌が直接的または間接的に接触した際に、使用者の発する熱が放熱部材に伝わり、放熱部材から熱が放出（発散）され、放熱パッドの内部に熱がこもりにくくなるため、使用者に対して接触する肌に与える適度な冷却感や通気感を通して心地よい使用感を与えることができる。さらに、上記構成によると、使用者が日常的に使用している枕本体に放熱パッドを重ねて、放熱パッドの上に頭をのせるだけで、使用者の頭から発する熱を効果的に放出させることができるため、容易に適度な冷却感や通気感を得ることができる。
【００２９】
（１５）本考案のアイマスクは、袋本体と、前記袋本体の内部に充填され使用者から伝えられる熱を放出可能な放熱部材とを備える放熱パッドと、前記放熱パッドの両端部に設けられ、前記放熱パッドを使用者の目の付近で支持するための耳掛け部とを備えること、を特徴とする。
【００３０】
上記構成によると、袋本体に充填された放熱部材に対して使用者の肌が直接的または間接的に接触した際に、使用者の発する熱が放熱部材に伝わり、放熱部材から熱が放出（発散）され、放熱パッドの内部に熱がこもりにくくなるため、使用者に対して接触する肌に与える適度な冷却感や通気感を通して心地よい使用感を与えることができる。さらに、上記構成によると、使用者の目の付近で放熱パッドを支持するだけで、使用者の目の周りから発せられる熱を放出させることができるため、適度な冷却感や通気感を得ることができ、使用者の目の疲労感を和らげることができる。
【考案の効果】
【００３１】
本考案に係る態様によれば、接触する肌に与える適度な冷却感や通気感を通して心地よい使用感を与えることが可能な放熱パッドを提供することができる。
【図面の簡単な説明】
【００３２】
【図１】（ａ）は第１実施形態による放熱パッドを示す斜視図であり、（ｂ）は第１実施形態による放熱パッドを示す平面図である。
【図２】（ａ）は図１（ａ）のＡ−Ａ線に沿った断面図であり、（ｂ）は放熱パッドをカバーに入れた状態を示す斜視図である。
【図３】（ａ）は第１実施形態の変形例による放熱パッドを示す斜視図であり、（ｂ）は第１実施形態の変形例による放熱パッドを示す平面図である。
【図４】（ａ）は放熱パッドを枕本体に重ねた状態を示す図であり、（ｂ）は放熱パッドをアイマスクに適用した例を示す図である。
【考案を実施するための形態】
【００３３】
以下、添付図面を参照して、本考案に係る放熱パッドの実施形態を説明する。これらの図は模式図であって、必ずしも大きさを正確な比率で記したものではない。また、図中、同様の構成部品は、同様の符号を付して示す。
【００３４】
（第１実施形態）
本考案の第１実施形態による放熱パッド１００は、図１（ａ）および図１（ｂ）に示すように、平面視において全体的に長方形状の外観を有している。放熱パッド１００は、袋本体１０と、袋本体１０の内部に充填された放熱部材２０および弾性部材３０を備えている。袋本体１０は、平面視において、長辺１０ａおよび短辺１０ｂを有する長方形状に形成されている。なお、長辺１０ａの延びる方向を「長辺方向」といい、短辺１０ｂの延びる方向を「短辺方向」という場合がある。
【００３５】
放熱部材２０は、使用者から伝えられる熱（発せられる熱）を放出可能とするために設けられている。放熱部材２０としては、天然石および磁性体のうち少なくとも一方を用いることが可能である。なお、本実施形態では、放熱部材２０として天然石が用いられている。天然石の一例としては、水晶、アメジスト、および、ラピスラズリ等が挙げられる。これらの天然石は、透明性または半透明性を有している。天然石は、研磨や面取りなどの表面加工が施されている。天然石は、好ましくは３ｍｍ以上１０ｍｍ以下の粒状である。
【００３６】
弾性部材３０は、袋本体１０の内部に充填された放熱部材２０が、袋本体１０の内部で一部分に偏ることを防止するために設けられている。弾性部材３０は、樹脂等の材料からなり、空洞の形状を有するパイプからなる部材である。なお、本実施形態では、炭が練りこまれたエラストパイプが用いられている。
【００３７】
袋本体１０は、複数の通気孔を有するメッシュ地等の通気性素材から形成されている。袋本体１０には、袋本体の表地と裏地とを互いに縫い合わせて放熱部材２０および弾性部材３０を保持するための第１縫合部４１および第２縫合部４２が設けられている。
【００３８】
図１（ｂ）に示すように、第１縫合部４１は、袋本体１０の短辺方向に沿って均等の間隔を隔てて形成されているとともに、短辺方向に沿って延びている。第２縫合部４２は、袋本体１０の両端部１０ｃ近傍に形成されているとともに、長辺方向に沿って延びている。この第２縫合部４２によって、袋本体１０に充填された放熱部材２０および弾性部材３０が外方に飛び出さないようになっている。
【００３９】
各第２縫合部４２の間には、短辺方向に沿って５つの区画室５０が配置されている。これらの区画室５０は、長辺方向に沿って延びるパイプ状に形成されている。また、５つの区画室５０は、それぞれ、３つの第１区画室５１および２つの第２区画室５２を備えている。第１区画室５１および第２区画室５２は、それぞれ、短辺方向に沿って交互に配置されている。
【００４０】
図２（ａ）に示すように、第１区画室５１および第２区画室５２は、それぞれ、断面視において、楕円形状に形成されている。第１区画室５１および第２区画室５２の大きさは、略同じである。第１区画室５１には、放熱部材２０が充填されている。第２区画室５２には、弾性部材３０が充填されている。
【００４１】
また、図２（ｂ）に示すように、放熱パッド１００はカバー６０に収納されている。カバー６０は、袋状に形成されていることにより、カバー６０から放熱パッド１００を容易に出し入れ可能になっている。カバー６０は、通気性や吸水性を有する素材により形成されている。放熱パッド１００がカバー６０に収納されていることにより、放熱パッド１００に対して汚れ等が直接付着するのを抑制することが可能である。
【００４２】
上記説明した実施形態によれば、以下の効果（１）〜（１１）を得ることができる。
【００４３】
（１）第１実施形態による放熱パッド１００は、袋本体１０と、袋本体１０の内部に充填され、使用者から伝えられる熱を放出可能な放熱部材２０とを備えた。これにより、使用者の肌が袋本体１０に充填された放熱部材２０に対して直接的または間接的に接触した際に、使用者の発する熱が放熱部材２０に伝わり、放熱部材２０から熱が放出（発散）されることにより、放熱パッド１００の内部に熱がこもりにくくなるため、使用者の肌に対して適度な冷却感や通気感を通して心地よい使用感を与えることができる。また、上記第１実施形態によると、袋本体１０の内部で放熱部材２０が適度に移動するため、使用者の肌になじみやすく、窮屈感を和らげることができる。
【００４４】
（２）第１実施形態による放熱パッド１００では、放熱部材２０が天然石および磁性体のうち少なくとも一方を含むことによって、放熱部材２０として天然石および磁性体を利用することにより、使用者の発する熱を放出し易くできるため、使用者に対して適度な清涼感を与えることができる。
【００４５】
（３）第１実施形態による放熱パッド１００では、放熱部材２０の天然石に研磨加工を施すことによって、研磨加工された天然石が使用者の肌に対してなじみ易く感触が良くなるため、使用者に対して心地よい刺激を与えることができる。
【００４６】
（４）第１実施形態による放熱パッド１００では、放熱部材２０の天然石が透明性を有することによって、透明性を有する天然石がキラキラと輝いて見えるため、視覚的に魅力的な放熱パッド１００を得ることができる。
【００４７】
（５）第１実施形態による放熱パッド１００では、放熱部材２０の天然石が、水晶、アメジスト、および、ラピスラズリのうち少なくとも１つであることによって、天然石としての水晶、アメジスト、および、ラピスラズリにより効果的に使用者の発する熱を放出することができ、かつ、天然石の有するエネルギーにより使用者の運気を高めることができる。
【００４８】
（６）第１実施形態による放熱パッド１００では、放熱部材２０の天然石が３ｍｍ以上１０ｍｍ以下の粒状であることによって、使用者に対する適度な刺激と放熱効果との両立を図ることができる。
【００４９】
（７）第１実施形態による放熱パッド１００では、袋本体１０が複数の通気孔を有する通気性素材から形成することによって、使用者の発する熱気や湿気を袋本体１０から外部に放出され易くなるため、袋本体１０の内部に熱気や湿気がこもってしまうことを抑制することができる。
【００５０】
（８）第１実施形態による放熱パッド１００では、袋本体１０の内部に放熱部材２０を小分けして配置するための５つの区画室５０を設けることによって、５つの区画室５０の各々において放熱部材２０を保持することができるため、放熱部材２０が袋本体１０の内部における一部分に偏ることを防止することができる。
【００５１】
（９）第１実施形態による放熱パッド１００では、５つの区画室５０が放熱部材２０を充填する第１区画室５１と、弾性部材３０を充填する第２区画室５２とを含むことによって、第２区画室５２に充填された弾性部材３０がクッションとしての役割を有するため、第２区画室５２に充填された弾性部材３０によって第１区画室５１に充填された放熱部材２０が袋本体１０の内部における一部分に偏ることを防止することができる。
【００５２】
（１０）第１実施形態による放熱パッド１００では、弾性部材３０が炭を練りこんだエラストパイプであることによって、弾性部材３０としてのエラストパイプによって、放熱部材２０が袋本体１０の内部で偏ることを防止しながら、エラストパイプの炭の効果により抗菌および防臭効果を得ることができる。
【００５３】
（１１）第１実施形態による放熱パッド１００では、第１区画室５１および第２区画室５２を袋本体１０の一方向に沿って交互に配置することによって、放熱部材２０と弾性部材３０とが隣接した状態で交互に配置されるため、放熱部材２０が区画室５０内で移動したとしても弾性部材３０により放熱部材２０を定位置で保持することができる。
【００５４】
（第１実施形態の変形例）
図３（ａ）および図３（ｂ）を用いて、本考案の第１実施形態の変形例について説明する。なお、本変形例では、第１実施形態との共通部分には同一符号を付してその説明を省略し、異なる部分のみ詳説する。
【００５５】
本考案の第１実施形態の変形例に係る放熱パッド１０１では、図３（ａ）および図３（ｂ）に示すように、放熱部材２０が充填されている第１区画室５１のそれぞれに２つの第３縫合部４３が形成されている。この第３縫合部４３は、袋本体１０の第１区画室５１における表地と裏地とを互いに縫い合わせることにより、第１区画室５１に充填された放熱部材２０が長辺方向に移動して部分的に偏ってしまうことを抑制することが可能である。また、第３縫合部４３は、第１区画室５１を長辺方向に対して３等分するように等間隔に配置されている。また、第３縫合部４３は、短辺方向に延びるように形成されており、第３縫合部４３と第２縫合部４２との間には、所定の隙間が設けられている。
【００５６】
なお、本変形例では、各第１区画室５１に２つの第３縫合部４３を等間隔に形成する例を示したが、第３縫合部４３を不等間隔に形成してもよい。また、各第１区画室５１に２つの第３縫合部４３を形成する例を示したが、１つまたは３つ以上の第３縫合部４３を形成してもよい。また、第３縫合部４３と第２縫合部４２との間に隙間を設ける例を示したが、隙間を設けずにこれらを互いに接続するように縫合してもよい。
【００５７】
上記説明した第１実施形態の変形例によれば、上記第１実施形態の効果（１）〜（１１）に加えて、下記の効果（１２）を得ることができる。
【００５８】
（１２）第１実施形態の変形例による放熱パッド１０１では、放熱部材２０が充填された第１区画室５１を長辺方向に区画するように、短辺方向に延びる第３縫合部４３を形成することによって、第１区画室５１に充填された放熱部材２０が長辺方向に移動して部分的に偏ってしまうことを抑制することができる。
【００５９】
（第２実施形態）
図４（ａ）を用いて、本考案の第２実施形態について説明する。なお、第２実施形態では、第１実施形態との共通部分には同一符号を付してその説明を省略し、異なる部分のみ詳説する。
【００６０】
本考案の第２実施形態に係る寝具２００では、図４（ａ）に示すように、枕本体２１０と、枕本体２１０に重ねて使用される放熱パッド１００とを備えている。使用者は、放熱パッド１００の表面に頭をのせることにより、頭周辺から発せられる熱を放熱パッド１００を介して放出させることができる。
【００６１】
上記説明した第２実施形態によれば、上記第１実施形態の効果（１）〜（１１）に加えて、下記の効果（１３）を得ることができる。
【００６２】
（１３）第２実施形態による寝具２００では、袋本体１０と、袋本体１０の内部に充填され使用者から伝えられる熱を放出可能な放熱部材２０とを備える放熱パッド１００と、枕本体２１０とを備え、放熱パッド１００を枕本体２１０に重ねて使用するようにした。これにより、袋本体１０に充填された放熱部材２０に対して使用者の肌が直接的または間接的に接触した際に、使用者の発する熱が放熱部材２０に伝わり、放熱部材２０から熱が放出（発散）され、放熱パッド１００の内部に熱がこもりにくくなるため、使用者に対して接触する肌に与える適度な冷却感や通気感を通して心地よい使用感を与えることができる。さらに、上記第２実施形態によると、使用者が日常的に使用している枕本体２１０に放熱パッド１００を重ねて、放熱パッド１００の上に頭をのせるだけで、使用者の頭から発する熱を効果的に放出させることができるため、適度な冷却感や通気感を容易に得ることができる。
【００６３】
（第３実施形態）
図４（ｂ）を用いて、本考案の第３実施形態について説明する。なお、第３実施形態では、第１および第２実施形態との共通部分には同一符号を付してその説明を省略し、異なる部分のみ詳説する。
【００６４】
本考案の第３実施形態に係るアイマスク３００では、図４（ｂ）に示すように、アイマスク本体３１０と、放熱パッド１００と、耳掛け部３２０とを備えている。
【００６５】
放熱パッド１００は、アイマスク本体３１０に重なるように配置されている。放熱パッド１００は、アイマスク本体３１０に対して縫製または接着等により固定されている。
【００６６】
耳掛け部３２０は、放熱パッド１００を使用者の目の付近で支持するために設けられている。耳掛け部３２０は、放熱パッド１００の両端部１０ｃにそれぞれ設けられている。耳掛け部３２０は、放熱パッド１００に対して縫製または接着により固定されている。
【００６７】
使用者は、アイマスク３００の耳掛け部３２０を耳に掛けて、放熱パッド１００を目の付近で支持することにより、目の付近の熱を放出させることができる。
【００６８】
上記説明した第３実施形態によれば、上記第１実施形態の効果（１）〜（１１）に加えて、下記の効果（１４）を得ることができる。
【００６９】
（１４）第３実施形態によるアイマスク３００では、袋本体１０と袋本体１０の内部に充填され使用者から伝えられる熱を放出可能な放熱部材２０とを備える放熱パッド１００と、放熱パッド１００の両端部１０ｃに設けられ、放熱パッド１００を使用者の目の付近で支持するための耳掛け部３２０とを備えた。これにより、袋本体１０に充填された放熱部材２０に対して使用者の肌が直接的または間接的に接触した際に、使用者の発する熱が放熱部材２０に伝わり、放熱部材２０から熱が放出（発散）され、放熱パッド１００の内部に熱がこもりにくくなるため、使用者に対して接触する肌に与える適度な冷却感や通気感を通して心地よい使用感を与えることができる。さらに、上記第１実施形態によると、使用者の目の付近で放熱パッド１００を支持するだけで、使用者の目の周りから発せられる熱を放出させることができるため、適度な冷却感や通気感を得ることができ、使用者の目の疲労感を和らげることができる。
【００７０】
上記実施形態は、以下のように変更した構成とすることもできる。
【００７１】
・上記第１〜第３実施形態では、放熱部材の一例として、天然石および磁性体のうち少なくとも一方を示したが、本考案はこれに限られない。本考案では、天然石および磁性体以外の放熱部材でも適用可能である。
【００７２】
・上記第１〜第３実施形態では、放熱部材としての天然石の一例として、水晶、アメジスト、および、ラピスラズリのうち少なくとも１つを示したが、本考案はこれに限られない。たとえば、放熱部材としての天然石として、水晶、アメジスト、および、ラピスラズリ以外の天然石でも適用可能である。
【００７３】
・上記第１〜第３実施形態では、放熱部材としての天然石が透明性を有している例を示したが、本考案はこれに限られない。本考案では、天然石が放熱部材として機能するのであれば、透明性を有さない天然石でも適用可能である。
【００７４】
・上記第１〜第３実施形態では、放熱部材としての天然石が３ｍｍ以上１０ｍｍ以下の粒状である例を示したが、本考案はこれに限られない。本考案では、天然石が放熱部材として機能するのであれば、３ｍｍ以上１０ｍｍ以下の範囲外の大きさであっても適用可能である。
【００７５】
・上記第１〜第３実施形態では、弾性部材の一例として炭が練りこまれたエラストパイプを適用する例を示したが、本考案はこれに限られない。本考案では、袋本体の内部で放熱部材の偏りを防止することが可能な適度な弾性を有する部材であれば、炭が練りこまれたエラストパイプ以外でも適用可能である。
【００７６】
・上記第１〜第３実施形態では、放熱部材および弾性部材を交互に配置する例を示したが、本考案はこれに限られない。本考案では、放熱部材および弾性部材を配置する順番は任意に決定してもよい。
【００７７】
・上記第１〜第３実施形態では、袋本体が複数の通気孔を有する通気性素材から形成されている例を示したが、本考案はこれに限られない。本考案では、袋本体に通気孔が形成されていない素材であっても適用可能である。
【００７８】
・上記第１〜第３実施形態では、袋本体の内部に放熱部材および弾性部材を小分けして配置するための５つの区画室を設ける例を示したが、本考案はこれに限られない。本考案では、袋本体の内部の区画室を１つ〜４つにしてもよいし、区画室を６つ以上にしてもよい。
【００７９】
・上記第２および第３実施形態では、本考案による放熱パッドを枕本体に重ねて寝具として使用する例や、放熱パッドをアイマスクに適用する例を示したが、本考案はこれに限られない。本考案では、使用者から伝えられる熱（発せられる熱）を放出するために使用される物品や用品であれば、寝具やアイマスク以外でも適用可能である。
【００８０】
・上記実施形態は、いずれも本考案の適応の例示であり、特許請求の範囲に記載の範囲内におけるその他いかなる実施形態も、考案の技術的範囲に含まれることは当然のことである。
【符号の説明】
【００８１】
１０      ：袋本体
２０      ：放熱部材、天然石、磁性体
３０      ：弾性部材、エラストパイプ
５０      ：区画室
５１      ：第１区画室
５２      ：第２区画室
１００    ：放熱パッド
２００    ：寝具
２１０    ：枕本体
３００    ：アイマスク
３２０    ：耳掛け部
【図１】
0003228738.tif 000003
【図２】
0003228738.tif 000004
【図３】
0003228738.tif 000005
【図４】
0003228738.tif 000006
【手続補正書】
【提出日】令和2年8月25日(2020.8.25)
【手続補正１】
【補正対象書類名】実用新案登録請求の範囲
【補正対象項目名】全文
【補正方法】変更
【補正の内容】
【実用新案登録請求の範囲】
【請求項１】
袋本体と、
前記袋本体の内部に充填され、使用者から伝えられる熱を放出可能な放熱部材とを備えること、を特徴とする放熱パッド。
【請求項２】
前記放熱部材は、天然石および磁性体のうち少なくとも一方を含むこと、を特徴とする請求項１に記載の放熱パッド。
【請求項３】
前記放熱部材の前記天然石に、研磨加工が施されていること、を特徴とする請求項２に記載の放熱パッド。
【請求項４】
前記放熱部材の前記天然石は、透明性を有していること、を特徴とする請求項２または３に記載の放熱パッド。
【請求項５】
前記放熱部材の前記天然石は、水晶、アメジスト、および、ラピスラズリのうち少なくとも１つであること、を特徴とする請求項２〜４のいずれか１項に記載の放熱パッド。
【請求項６】
前記放熱部材の天然石は、３ｍｍ以上１０ｍｍ以下の粒状であること、を特徴とする請求項２〜５のいずれか１項に記載の放熱パッド。
【請求項７】
前記袋本体は、複数の通気孔を有する通気性素材から形成されていること、を特徴とする請求項１〜６のいずれか１項に記載の放熱パッド。
【請求項８】
前記袋本体の内部には、前記放熱部材を小分けして配置するための複数の区画室が設けられていること、を特徴とする請求項１〜７のいずれか１項に記載の放熱パッド。
【請求項９】
前記袋本体の内部に充填される弾性部材をさらに備え、
前記複数の区画室は、前記放熱部材が充填された第１区画室と、前記弾性部材が充填された第２区画室とを含むこと、を特徴とする請求項８に記載の放熱パッド。
【請求項１０】
前記弾性部材は、炭が練りこまれたエラストパイプであること、を特徴とする請求項９に記載の放熱パッド。
【請求項１１】
前記複数の区画室における前記第１区画室および前記第２区画室は、前記袋本体の一方向に沿って交互に配置されていること、を特徴とする請求項９または１０に記載の放熱パッド。
【請求項１２】
袋本体と、
前記袋本体の内部に充填され、使用者から伝えられる熱を放出可能な放熱部材とを備え、
前記放熱部材は、天然石および磁性体のうち少なくとも一方を含み、
前記袋本体の内部には、前記放熱部材を小分けして配置するための複数の区画室が設けられていること、を特徴とする放熱パッド。
【請求項１３】
袋本体と、
前記袋本体の内部に充填され、使用者から伝えられる熱を放出可能な放熱部材と、弾性部材とを備え、
前記放熱部材は、天然石および磁性体のうち少なくとも一方を含み、
前記袋本体の内部には、前記放熱部材を小分けして配置するための複数の区画室が設けられ、
前記複数の区画室は、前記放熱部材が充填された第１区画室と、前記弾性部材が充填された第２区画室とを含み、
前記複数の区画室における前記第１区画室および前記第２区画室は、前記袋本体の一方向に沿って交互に配置されていること、を特徴とする放熱パッド。
【請求項１４】
袋本体と、前記袋本体の内部に充填され使用者から伝えられる熱を放出可能な放熱部材とを備える放熱パッドと、
枕本体とを備え、
前記放熱パッドは、前記枕本体に重ねて使用されること、を特徴とする寝具。
【請求項１５】
袋本体と、前記袋本体の内部に充填され使用者から伝えられる熱を放出可能な放熱部材とを備える放熱パッドと、
前記放熱パッドの両端部に設けられ、前記放熱パッドを使用者の目の付近で支持するための耳掛け部とを備えること、を特徴とするアイマスク。